(57)【要約】【課題】各種電子機器に用いられる開閉装置に関し、開閉操作の軽操作力化が図れ、軽快な操作感触が得られるものを提供することを目的とする。【解決手段】ばね６に付勢された可動体３の可動カム４が固定カム２に弾接する固定体１と、これらに収納した略円筒状の可動ケース８の当接部に、略リング状の摺動部材２０を設けることによって、可動ケース８の開閉操作を行う際、摺動部材２０によって固定体１と可動ケース８間の摩擦が低減されるため、開閉操作の軽操作力化が図れ、軽快な操作感触の開閉装置を得ることができる。【選択図】  図１
2004211864.tif 000002
【特許請求の範囲】
【請求項１】
側面に固定カムが設けられた固定体と、この固定体に対し回転可能に配置されると共に、上記固定カムとの対向面に可動カムが設けられた可動体と、この可動体を付勢し上記可動カムを上記固定カムへ弾接させるばねと、上記固定体を回転可能に、上記可動体を軸線方向へ移動可能に収納した略円筒状の可動ケースからなり、上記固定体と上記可動ケースの当接部に略リング状の摺動部材を設けた開閉装置。
【請求項２】
摺動部材を金属板で形成した請求項１記載の開閉装置。
【請求項３】
可動体とばねの当接部にも摺動部材を設けた請求項１記載の開閉装置。
【請求項４】
摺動部材に代えて、固定体または可動ケースの当接部の少なくとも一方を潤滑部材とした請求項１記載の開閉装置。
【発明の詳細な説明】
【０００１】
【発明の属する技術分野】
本発明は、携帯電話やパーソナルコンピュータ等の、各種電子機器に使用される開閉装置に関するものである。
【０００２】
【従来の技術】
近年、携帯電話やパーソナルコンピュータ等の電子機器の小型化や軽量化が進む中、固定筐体に対し可動筐体が開閉可能に装着された、所謂、折畳み式のものが増えており、これらに用いられる開閉装置においても、軽快で開閉操作の行い易いものが求められている。
【０００３】
このような従来の開閉装置について、図３及び図５、図６を用いて説明する。
【０００４】
なお、これらの図面の内、断面図は固定カムと可動カムの関係を判り易くするため、径方向を拡大して表わしている。
【０００５】
図５は従来の開閉装置の断面図、図６は同分解斜視図であり、同図において、１は左側面に固定部１Ａが形成された略円筒状の固定体で、この右側面外周には突出部２Ａ、及びこの突出部２Ａから左右へ延出する二つの傾斜部２Ｂ，２Ｃから形成された固定カム２が設けられている。
【０００６】
そして、３は同じく略円筒状の可動体で、固定体１に対し開閉方向へ回転可能に配置されると共に、固定カム２との対向面である左側面外周には可動カム４が設けられ、この可動カム４の先端が、略円盤状のカバー５との間にやや撓んだ状態で装着されたコイル状のばね６に付勢されて、固定カム２の傾斜部２Ｂへ弾接している。
【０００７】
また、７は略円柱状の固定軸で、この固定軸７の左端部に固定体１が固着されると共に、右端部は可動体３の中空部やばね６を挿通して、カバー５へ係止されている。
【０００８】
さらに、８は略円筒状の可動ケースで、この可動ケース８左端の通孔８Ａから固定体１の固定部１Ａが回転可能に突出すると共に、外周の溝部８Ｂには可動体３の突起３Ａが挿入され、可動体３が軸線方向へ移動可能に可動ケース８内に収納されている。
【０００９】
そして、可動ケース８右端の開口部をカバー５が覆い、固定体１や可動体３、ばね６等が可動ケース８内に収納されて、開閉装置１０が構成されている。
【００１０】
そして、このように構成された開閉装置１０は、例えば、図３の携帯電話の斜視図に示すように、固定体１の固定部１Ａが上面に複数のキーからなる操作部１２Ａやマイクロフォン等の音声入力部１２Ｂが形成された固定筐体１２へ、可動ケース８が、表面にＬＣＤ等の表示部１３Ａやスピーカ等の音声出力部１３Ｂが形成された可動筐体１３へ各々固着され、開閉装置１０によって固定筐体１２に対して可動筐体１３が開閉可能に軸支されて電子機器が構成される。
【００１１】
以上の構成において、図５に示すように、可動カム４の先端が固定カム２下側の傾斜部２Ｂへ弾接した状態では、可動体３がばね６によって下方向の閉方向へ付勢されているため、可動ケース８が固着された可動筐体１３は、固定筐体１２に対して閉じた状態で保持されている。
【００１２】
そして、この閉状態から、可動筐体１３を手で開くと、可動筐体１３に固着された可動ケース８を介して可動体３が上方向へ回転し、可動カム４先端が固定カム２の突出部２Ａを超えて上側の傾斜部２Ｃへ弾接して、可動体３が上方向の開方向へ付勢されるため、可動筐体１３が開いた状態となる。
【００１３】
つまり、可動筐体１３に固着された可動ケース８を回転させることによって、可動カム４先端を固定カム２の傾斜部２Ｂまたは２Ｃのいずれかへ弾接させて、固定筐体１２に対する可動筐体１３の開閉操作が行われるように構成されているものであった。
【００１４】
なお、この出願の発明に関連する先行技術文献情報としては、例えば、特許文献１が知られている。
【００１５】
【特許文献１】
特開２００２−８９５４２号公報
【００１６】
【発明が解決しようとする課題】
しかしながら、上記従来の開閉装置においては、可動ケース８を回転して可動筐体１３の開閉操作を行う際、固定筐体１２に固着される固定体１左側面が、可動体３を介してばね６により可動ケース８左端に押付けられているため、この摩擦によって可動筐体１３の開閉に引掛り感が生じ、操作感触が損なわれてしまうという課題があった。
【００１７】
本発明は、このような従来の課題を解決するものであり、開閉操作の軽操作力化が図れ、軽快な操作感触が得られる開閉装置を提供することを目的とする。
【００１８】
【課題を解決するための手段】
上記目的を達成するために本発明は、以下の構成を有するものである。
【００１９】
本発明の請求項１に記載の発明は、ばねに付勢された可動体の可動カムが固定カムに弾接する固定体と、これらを収納した略円筒状の可動ケースの当接部に、略リング状の摺動部材を設けて開閉装置を構成したものであり、可動ケースの開閉操作を行う際、摺動部材によって固定体と可動ケースとの間の摩擦が低減されるため、開閉操作の軽操作力化が図れ、軽快な操作感触の開閉装置を得ることができるという作用を有する。
【００２０】
請求項２に記載の発明は、、請求項１記載の発明において、摺動部材を金属板で形成したものであり、摺動部材を鋼等の金属板で形成することによって、摺動部材の加工や調達が容易となるため、開閉装置を安価に形成することができるという作用を有する。
【００２１】
請求項３に記載の発明は、請求項１記載の発明において、可動体とばねの当接部にも摺動部材を設けたものであり、可動体を付勢するばね端部が弾接する部材が、固定部材で構成されている場合にも、開閉装置の軽操作力化を図ることができるという作用を有する。
【００２２】
請求項４に記載の発明は、請求項１記載の発明において、摺動部材に代えて、固体体または可動ケースの当接部の少なくとも一方を潤滑部材としたものであり、構成部品数が少なくなるため、開閉装置を安価なものとすることができるという作用を有する。
【００２３】
【発明の実施の形態】
以下、本発明の実施の形態について、図１〜図４を用いて説明する。
【００２４】
なお、従来の技術の項で説明した構成と同一構成の部分には同一符号を付して、詳細な説明を簡略化する。
【００２５】
また、これらの図面の内、断面図は固定カムと可動カムの関係を判り易くするため、径方向を拡大して表わしている。
【００２６】
（実施の形態）
図１は本発明の一実施の形態による開閉装置の断面図、図２は同分解斜視図であり、同図において、１は左側面に固定部１Ａが形成された略円筒状で金属製の固定体で、この右側面外周には突出部２Ａ、及びこの突出部２Ａから左右へ延出する二つの傾斜部２Ｂ，２Ｃから形成された固定カム２が設けられている。
【００２７】
そして、３は同じく略円筒状で金属製の可動体で、固定体１に対し開閉方向へ回転可能に配置されると共に、固定カム２との対向面である左側面外周には可動カム４が設けられ、この可動カム４の先端が、略円盤状のカバー２との間にやや撓んだ状態で装着されたコイル状のばね６に付勢されて、固定カム２の傾斜部２Ｂへ弾接している。
【００２８】
また、７は略円柱状の固定軸で、この固定軸７の左端部に固定体１が固着されると共に、右端部は可動体３の中空部やばね６を挿入して、カバー５へ回転可能に係止されている。
【００２９】
さらに、８は略円筒状で金属または絶縁樹脂製の可動ケースで、この可動ケース８左端の通孔８Ａから固定体１の固定部１Ａが回転可能に突出すると共に、ばね６によ可動体３を介して可動ケース８左端に押付けられた固定体１左側面と、可動ケース８との間の当接部には、摺動部材２０が設けられている。
【００３０】
そして、この摺動部材２０は略リング状の鋼や銅合金等の金属板、或いは、これらにフッ素含有の無電解ニッケルメッキ等の潤滑メッキを施して形成され、中央の貫通孔２０Ａに固定体１の固定部１Ａが挿通されている。
【００３１】
また、可動ケース８外周の溝部８Ｂには可動体３の突起３Ａが挿入され、可動体３が軸線方向へ移動可能に可動ケース８内に収納されると共に、可動ケース８右端の開口部をカバー５が覆い、固定体１や摺動部材２０、ばね６等が可動ケース８内に収納されて、開閉装置２１が構成されている。
【００３２】
そして、このように構成された開閉装置２１は、例えば、図３の携帯電話の斜視図に示すように、固定体１の固定部１Ａが上面に複数のキーからなる操作部１２Ａやマイクロフォン等の音声入力部１２Ｂが形成された固定筐体１２へ、可動ケース８が、表面にＬＣＤ等の表示部１３Ａやスピーカ等の音声出力部１３Ｂが形成された可動筐体１３へ各々固着され、開閉装置２１によって固定筐体１２に対して可動筐体１３が開閉可能に軸支されて電子機器が構成される。
【００３３】
以上の構成において、図１に示すように、可動カム４の先端が固定カム２下側の傾斜部２Ｂへ弾接した状態では、可動体３がばね６によって下方向の閉方向へ付勢されているため、可動ケース８が固着された可動筐体１３は、固定筐体１２に対して閉じた状態で保持されている。
【００３４】
また、この閉状態から、可動筐体１３を手で開くと、可動筐体１３に固着された可動ケース８を介して可動体３が上方向へ回転し、可動カム４先端が固定カム２の突出部２Ａを超えて上側の傾斜部２Ｃへ弾接して、可動体３が上方向の開方向へ付勢されるため、可動筐体１３が開いた状態となる。
【００３５】
そして、この時、固定部１Ａが固定筐体１２に固着された固定体１は回転しないため、可動体３を介してばね６により可動ケース８左端に押付けられた固定体１左側面と、可動ケース８左端との間には摩擦が生じるが、この当接部には摺動部材２０が設けられ、摺動部材２０によって摩擦が低減されるため、可動ケース８には引掛り感等が発生せず、軽快に開閉操作が行われる。
【００３６】
つまり、可動筐体１３に固着された可動ケース８を回転させることによって、可動カム４先端を固定カム２の傾斜部２Ｂまたは２Ｃのいずれかへ弾接させて、可動筐体１３の開閉を行うと共に、摺動部材２０によって固定体１と可動ケース８間の摩擦を低減し、軽快な開閉操作が行われるように構成されている。
【００３７】
このように本実施の形態によれば、ばね６に付勢された可動体３の可動カム４が固定カム２に弾接する固定体１と、これらを収納した略円筒状の可動ケース８の当接部に、略リング状の摺動部材２０を設けることによって、可動ケース８の開閉操作を行う際、摺動部材２０によって固定体１と可動ケース８間の摩擦が低減されるため、開閉操作の軽操作力化が図れ、軽快な操作感触の開閉装置を得ることができるものである。
【００３８】
そして、摺動部材２０を鋼や銅合金等の金属板、或いは、これらにフッ素含有の無電解ニッケルメッキ等の潤滑メッキを施して形成することによって、プレス加工等で容易に摺動部材２０を加工できると共に、形状を中央に貫通孔２０Ａを設けた略リング状とすることで、市販されているワッシャー等の汎用な部品の使用が可能となるため、部品調達も容易となり、開閉装置を安価に形成することができる。
【００３９】
なお、摺動部材２０は上記した金属板やこれに潤滑メッキを施したものの他、成形等の加工は必要となるが、ナイロン等の高密度樹脂を用いたり、或いは、固体潤滑剤を分散した樹脂に紫外線等を照射して、表面の分子間を共有結合させ架橋させたものを用いても、実施が可能である。
【００４０】
さらに、摺動部材２０に代えて、固定体１または可動ケース８の一方にこれらの樹脂を用いたり、或いは、当接部に潤滑メッキを施したりして、固定体１または可動ケース８の当接部の少なくとも一方を潤滑部材とすることによって、摺動部材２０が不要となり構成部品数が少なくなるため、開閉装置を安価なものとすることができる。
【００４１】
また、以上の説明では、可動ケース８右端の開口部をカバー５で覆い、固定体１に固着された固定軸７の右端部をこのカバー５へ回転可能に係止した構成として説明したが、図４の断面図に示すように、可動ケース８右端の開口部に略円盤状の固定カバー２５を回転可能に装着し、固定軸７の右端部をこの固定カバー２５へ固着する構成としても、本発明の実施は可能である。
【００４２】
そして、この場合、同図に示すように、固定体１と可動ケース８の当接部に加え、可動体３とばね６の当接部、さらにはばね６と固定カバー２５の当接部にも略リング状の摺動部材２２や２３を設けることによって、ばね６が弾接する可動部材と固定部材間の摩擦も低減できるため、さらに開閉装置の軽操作力化を図ることができる。
【００４３】
また、以上の説明では、手で可動筐体１３を開閉操作し、これに固着された可動ケース８を回転させる構成についてのみ説明したが、押釦や、可動カム４の固定カム２への弾接位置を反転させる反転カム等の部分を設け、手による開閉操作に加え、閉状態から押釦の押圧操作によって可動筐体１３を開く、所謂、ワンプッシュオープンとした構成においても、本発明の実施は可能である。
【００４４】
【発明の効果】
以上のように本発明によれば、開閉操作の軽操作力化が図れ、軽快な操作感触の開閉装置を得ることができるという有利な効果が得られる。
【図面の簡単な説明】
【図１】本発明の一実施の形態による開閉装置の断面図
【図２】同分解斜視図
【図３】同電子機器の斜視図
【図４】同他の実施の形態による断面図
【図５】従来の開閉装置の断面図
【図６】同分解斜視図
【符号の説明】
１  固定体
１Ａ  固定部
２  固定カム
２Ａ  突出部
２Ｂ，２Ｃ  傾斜部
３  可動体
３Ａ  突起
４  可動カム
５  カバー
６  ばね
７  固定軸
８  可動ケース
８Ａ  通孔
８Ｂ  溝部
１２  固定筐体
１２Ａ  操作部
１２Ｂ  音声入力部
１３  可動筐体
１３Ａ  表示部
１３Ｂ  音声出力部
２０，２２，２３  摺動部材
２０Ａ  貫通孔
２１  開閉装置
２５  固定カバー
【図１】
2004211864.tif 000003
【図２】
2004211864.tif 000004
【図３】
2004211864.tif 000005
【図４】
2004211864.tif 000006
【図５】
2004211864.tif 000007
【図６】
2004211864.tif 000008